(57)【要約】      （修正有）【課題】自動制御の電力ソケット装置を提供する。【解決手段】自動制御の電力ソケット装置は、ソケットコンセントと電気設備と接続するソケットプラグを含み、ソケットコンセントには固定ブロック、固定穴、前側端面に安全筐体が設置される。安全筐体にはソケット構造、その後側固定端末に半円部、上下に伸びるプラグ変換軸が設置され、変換軸の頂部伸長末尾が安全筐体の内頂壁と回転可能に合わせて接続される。底部伸長末尾は第一電気回転機械に動力が伝達可能に接続され、回転機械の外表面が安全筐体の内底壁に固定的に設置され、ソケット構造の前側端面にソケット溝、その後側のソケット構造に第一滑り接続溝が設置され、第一滑り接続溝に第一滑り接続ブロックがスライドに合わせて接続される。【選択図】図５
2019135711.tif 000002
【特許請求の範囲】
【請求項１】
自動制御の電力ソケット装置であって、ソケットコンセントと電気設備と接続するソケットプラグを含み、前記ソケットコンセントの左右両側の端面の前側位置に対等に固定ブロックが設置され、前記固定ブロックに固定穴が設置され、前記ソケットコンセントの前側端面に安全筐体が設置され、前記安全筐体にソケット構造が設置され、前記ソケット構造の後側固定端末に半円部が設置され、前記半円部に上下に伸びるプラグ変換軸が設置され、前記プラグ変換軸の頂部伸長末尾が前記安全筐体の内頂壁と回転可能に合わせて接続され、前記プラグ変換軸の底部伸長末尾が第一電気回転機械と動力が伝達可能なように合わせて接続し、前記第一電気回転機械の外表面が前記安全筐体の内底壁に固定的に設置され、前記ソケット構造の前側端面にソケット溝が設置され、前記ソケット溝の後側の前記ソケット構造に第一滑り接続溝が設置され、前記第一滑り接続溝に第一滑り接続ブロックがスライドに合わせて接続され、前記第一滑り接続ブロックに前後に伸びて設置される第一ねじ軸が合わせて接続され、前記第一ねじ軸の前側伸長末尾が前記第一滑り接続溝の前側内壁と回転可能に合わせて接続され、前記第一ねじ軸の後側伸長末尾が第二電気回転機械と動力が伝達可能なように合わせて接続され、前記第二電気回転機械の外表面が第一滑り接続溝の後側内壁に固定的に設置され、前記ソケット溝の左右両側の前記ソケット構造に対等に前後に伸びて設置される第二滑り接続溝が設置され、前記第二滑り接続溝の後側伸長末尾が前記第一滑り接続溝と相通するように設置され、前記第二滑り接続溝の前記ソケット溝と離れた一側に第三滑り接続溝が設置され、前記第三滑り接続溝に第三滑り接続ブロックがスライドに合わせて接続され、前記第三滑り接続ブロックの前記第二滑り接続溝と離れた一側の第三滑り接続溝に弾性部品が押圧に合わせて接続され、前記第二滑り接続溝にそれぞれが前記ソケット溝と前記第三滑り接続溝と相通するように設置される第一斜角溝が通り抜けて設置され、前記第二滑り接続溝に後側に伸びて設置される滑り接続軸がスライドに合わせて接続され、前記滑り接続軸に前記第一斜角溝と相通する第二斜角溝が設置され、前記第二斜角溝に一端が前記第一斜角溝を通じて前記第三滑り接続溝の中に伸びて前記第三滑り接続ブロックと固定的に合わせて接続される斜角ブロックがスライドに合わせて接続され、前記斜角ブロックのもう一端が前記第一斜角溝を通じて前記ソケット溝の中に伸びることを特徴とする自動制御の電力ソケット。
【発明の詳細な説明】
【技術分野】
【０００１】
本発明は、電力供給技術領域に関し、具体的には自動制御の電力ソケット装置に関する。
【背景技術】
【０００２】
電気設備はソケットの方式を通じて電力供給接続を実現し、現在の電気設備のプラグは電気供給コンセントとソケットする時の安定性が悪く、常に設備の意外の停電を引き起こし、それと同時に現在の電気供給コンセントの電気供給溝が一般的に外部と連結し、使用しない状態で人が意外に触れると感電事故を引き起こす可能性がかなり高く、大きい安全上の危険が存在する。
【先行技術文献】
【特許文献】
【０００３】
【特許文献１】中国実用新案第201805041号明細書
【発明の概要】
【発明が解決しようとする課題】
【０００４】
本発明の自動制御の電力ソケット装置は、ソケットコンセントと電気設備と接続するソケットプラグを含み、前記ソケットコンセントの左右両側の端面の前側位置に対等に固定ブロックが設置され、前記固定ブロックに固定穴が設置され、前記ソケットコンセントの前側端面に安全筐体が設置され、前記安全筐体にソケット構造が設置され、前記ソケット構造の後側固定端末に半円部が設置され、前記半円部に上下に伸びるプラグ変換軸が設置され、前記プラグ変換軸の頂部伸長末尾が前記安全筐体の内頂壁と回転可能に合わせて接続され、前記プラグ変換軸の底部伸長末尾が第一電気回転機械と動力が伝達可能なように合わせて接続し、前記第一電気回転機械の外表面が前記安全筐体の内底壁に固定的に設置され、前記ソケット構造の前側端面にソケット溝が設置され、前記ソケット溝の後側の前記ソケット構造に第一滑り接続溝が設置され、前記第一滑り接続溝に第一滑り接続ブロックがスライドに合わせて接続され、前記第一滑り接続ブロックに前後に伸びて設置される第一ねじ軸が合わせて接続され、前記第一ねじ軸の前側伸長末尾が前記第一滑り接続溝の前側内壁と回転可能に合わせて接続され、前記第一ねじ軸の後側伸長末尾が第二電気回転機械と動力が伝達可能なように合わせて接続され、前記第二電気回転機械の外表面が第一滑り接続溝の後側内壁に固定的に設置され、前記ソケット溝の左右両側の前記ソケット構造に対等に前後に伸びて設置される第二滑り接続溝が設置され、前記第二滑り接続溝の後側伸長末尾が前記第一滑り接続溝と相通するように設置され、前記第二滑り接続溝の前記ソケット溝と離れた一側に第三滑り接続溝が設置され、前記第三滑り接続溝に第三滑り接続ブロックがスライドに合わせて接続され、前記第三滑り接続ブロックの前記第二滑り接続溝と離れた一側の第三滑り接続溝に弾性部品が押圧に合わせて接続され、前記第二滑り接続溝にそれぞれが前記ソケット溝と前記第三滑り接続溝と相通するように設置される第一斜角溝が通り抜けて設置され、前記第二滑り接続溝に後側に伸びて設置される滑り接続軸がスライドに合わせて接続され、前記滑り接続軸に前記第一斜角溝と相通する第二斜角溝が設置され、前記第二斜角溝に一端が前記第一斜角溝を通じて前記第三滑り接続溝の中に伸びて前記第三滑り接続ブロックと固定的に合わせて接続される斜角ブロックがスライドに合わせて接続され、前記斜角ブロックのもう一端が前記第一斜角溝を通じて前記ソケット溝の中に伸びる。
【０００５】
より好ましい技術方案は前記安全筐体の後側内壁にギアアームが固定的に設置される。
【０００６】
より好ましい技術方案は前記ソケット溝の後側内壁に電力供給端が固定的に設置される。
【０００７】
より好ましい技術方案は前記ソケットプラグの後側末尾に前記ソケット溝と合わせて接続されることに用いる導電アームが固定的に設置され、前記導電アームの左右両側の端面に対等に前記斜角ブロックと合わせて接続されることに用いるロック接続溝が設置され、前記導電アームの後側末尾に斜角端が固定的に設置され、前記斜角端の後側末尾端面に前記電力供給端と合わせて接続されることに用いる電気溝が設置される。
【０００８】
より好ましい技術方案は前記ソケット軸の右側の前記安全筐体の内底壁に押上構造が設置され、前記ソケット軸の前側の前記ソケット構造の底部端面に前記押上構造と合わせて接続されることに用いるロック接続穴が設置され、前記押上構造が前記安全筐体の内底壁に設置される押上筐体と前記押上筐体にスライドに合わせて接続される押上板を含み、前記押上板の底部端面に下に伸びて設置される第二ねじ軸が合わせて接続され、前記第二ねじ軸の底部伸長末尾が第三電気回転機械と動力が伝達可能なように合わせて接続され、前記第三電気回転機械の外表面が前記押上筐体の内底壁に固定的に設置され、前記押上筐体の左右両側内壁に対等に誘導溝が設置され、前記誘導溝に前記押上板と固定的に合わせて接続される誘導ブロックがスライドに合わせて接続される。
【発明の効果】
【０００９】
本発明は、構造が簡単で、操作が便利で自動制御のソケットコンセントとソケット構造の結合接続作業を実現することができ、それと同時に自動制御のソケット構造の収納とロック作業を実現することができ、電力供給接続の安定性と安全性を大いに高めることができる。
【図面の簡単な説明】
【００１０】
【図１】図1は本発明の自動制御の電力ソケット装置の内部構造概略図である。
【図２】図2は本発明のソケットプラグの全体構造概略図である。
【図３】図3は本発明のソケット構造の底面図である。
【図４】図4は本発明の押上構造の内部構造概略図である。
【図５】図5は図１の背面図である。
【発明を実施するための形態】
【００１１】
下記は図１−図５を結合し本発明を詳しく説明する。
【００１２】
図１-図５を参照し本発明の実施例の自動制御の電力ソケット装置によって、ソケットコンセント5と電気設備と接続するソケットプラグ7を含み、前記ソケットコンセント5の左右両側の端面の前側位置に対等に固定ブロック40が設置され、前記固定ブロック40に固定穴41が設置され、前記固定ブロック40は前記ソケットコンセント5を壁体に固定することに用いて、前記ソケットコンセント5の前側端面に安全筐体51が設置され、前記安全筐体51にソケット構造6が設置され、前記ソケット構造6の後側固定端末に半円部61が設置され、前記半円部61に上下に伸びるプラグ変換軸610が設置され、前記プラグ変換軸610の頂部伸長末尾が前記安全筐体51の内頂壁と回転可能に合わせて接続され、前記プラグ変換軸610の底部伸長末尾が第一電気回転機械611と動力が伝達可能なように合わせて接続し、前記第一電気回転機械611の外表面が前記安全筐体51の内底壁に固定的に設置され、前記ソケット構造6の前側端面にソケット溝62が設置され、前記ソケット溝62の後側の前記ソケット構造6に第一滑り接続溝63が設置され、前記第一滑り接続溝63に第一滑り接続ブロック631がスライドに合わせて接続され、前記第一滑り接続ブロック631に前後に伸びて設置される第一ねじ軸632が合わせて接続され、前記第一ねじ軸632の前側伸長末尾が前記第一滑り接続溝63の前側内壁と回転可能に合わせて接続され、前記第一ねじ軸632の後側伸長末尾が第二電気回転機械633と動力が伝達可能なように合わせて接続され、前記第二電気回転機械633の外表面が第一滑り接続溝63の後側内壁に固定的に設置され、前記ソケット溝62の左右両側の前記ソケット構造6に対等に前後に伸びて設置される第二滑り接続溝66が設置され、前記第二滑り接続溝66の後側伸長末尾が前記第一滑り接続溝63と相通するように設置され、前記第二滑り接続溝66の前記ソケット溝62と離れた一側に第三滑り接続溝64が設置され、前記第三滑り接続溝64に第三滑り接続ブロック641がスライドに合わせて接続され、前記第三滑り接続ブロック641の前記第二滑り接続溝66と離れた一側の第三滑り接続溝64に弾性部品642が押圧に合わせて接続され、前記第二滑り接続溝66にそれぞれが前記ソケット溝62と前記第三滑り接続溝64と相通するように設置される第一斜角溝65が通り抜けて設置され、前記第二滑り接続溝66に後側に伸びて設置される滑り接続軸661がスライドに合わせて接続され、前記滑り接続軸661に前記第一斜角溝65と相通する第二斜角溝662が設置され、前記第二斜角溝662に一端が前記第一斜角溝65を通じて前記第三滑り接続溝64の中に伸びて前記第三滑り接続ブロック641と固定的に合わせて接続される斜角ブロック643がスライドに合わせて接続され、前記斜角ブロック643のもう一端が前記第一斜角溝65を通じて前記ソケット溝62の中に伸びる。
【００１３】
好ましくは、前記安全筐体51の後側内壁にギアアーム510が固定的に設置される。
【００１４】
好ましくは、前記ソケット溝62の後側内壁に電力供給端が固定的に設置される。
【００１５】
好ましくは、前記ソケットプラグ7の後側末尾に前記ソケット溝62と合わせて接続されることに用いる導電アーム71が固定的に設置され、前記導電アーム71の左右両側の端面に対等に前記斜角ブロック643と合わせて接続されることに用いるロック接続溝711が設置され、前記導電アーム71の後側末尾に斜角端712が固定的に設置され、前記斜角端712の後側末尾端面に前記電力供給端と合わせて接続されることに用いる電気溝713が設置され、これにより速いソケット作業に便利し、それと同時にソケットの安定性を高める。
【００１６】
好ましくは、前記ソケット軸610の右側の前記安全筐体51の内底壁に押上構造511が設置され、前記ソケット軸610の前側の前記ソケット構造6の底部端面に前記押上構造511と合わせて接続されることに用いるロック接続穴67が設置され、前記押上構造511が前記安全筐体51の内底壁に設置される押上筐体5110と前記押上筐体5110にスライドに合わせて接続される押上板5111を含み、前記押上板5111の底部端面に下に伸びて設置される第二ねじ軸5114が合わせて接続され、前記第二ねじ軸5114の底部伸長末尾が第三電気回転機械5115と動力が伝達可能なように合わせて接続され、前記第三電気回転機械5115の外表面が前記押上筐体5110の内底壁に固定的に設置され、前記押上筐体5110の左右両側内壁に対等に誘導溝5112が設置され、前記誘導溝5112に前記押上板5111と固定的に合わせて接続される誘導ブロック5113がスライドに合わせて接続され、これにより自動的に収納のロック作業を制御し、露出で引き起こした感電事故を防ぐ。
【００１７】
本発明の有益な効果は、構造が簡単で、操作が便利で自動制御のソケットコンセントとソケット構造の結合接続作業を実現することができ、それと同時に自動制御のソケット構造の収納とロック作業を実現することができ、電力供給接続の安定性と安全性を大いに高めることができる。
【図１】
2019135711.tif 000003
【図２】
2019135711.tif 000004
【図３】
2019135711.tif 000005
【図４】
2019135711.tif 000006
【図５】
2019135711.tif 000007
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
電気接続装置であって、ソケットコンセントと電気設備と接続するソケットプラグを含み、前記ソケットコンセントの左右両側の端面の前側位置に対等に固定ブロックが設置され、前記固定ブロックに固定穴が設置され、前記ソケットコンセントの前側端面に安全筐体が設置され、前記安全筐体にソケット構造が設置され、前記ソケット構造の後側固定端末に半円部が設置され、前記半円部に上下に伸びるプラグ変換軸が設置され、前記プラグ変換軸の頂部伸長末尾が前記安全筐体の内頂壁と回転可能に合わせて接続され、前記プラグ変換軸の底部伸長末尾が第一電気回転機械と動力が伝達可能なように合わせて接続し、前記第一電気回転機械の外表面が前記安全筐体の内底壁に固定的に設置され、前記ソケット構造の前側端面にソケット溝が設置され、前記ソケット溝の後側の前記ソケット構造に第一滑り接続溝が設置され、前記第一滑り接続溝に第一滑り接続ブロックがスライドできるように接続され、前記第一滑り接続ブロックに前後に伸びて設置される第一ねじ軸が合わせて接続され、前記第一ねじ軸の前側伸長末尾が前記第一滑り接続溝の前側内壁と回転可能に合わせて接続され、前記第一ねじ軸の後側伸長末尾が第二電気回転機械と動力が伝達可能なように合わせて接続され、前記第二電気回転機械の外表面が第一滑り接続溝の後側内壁に固定的に設置され、前記ソケット溝の左右両側の前記ソケット構造に対等に前後に伸びて設置される第二滑り接続溝が設置され、前記第二滑り接続溝の後側伸長末尾が前記第一滑り接続溝と相通するように設置され、前記第二滑り接続溝の前記ソケット溝と離れた一側に第三滑り接続溝が設置され、前記第三滑り接続溝に第三滑り接続ブロックがスライドできるように接続され、前記第三滑り接続ブロックの前記第二滑り接続溝と離れた一側の第三滑り接続溝に弾性部品が取り付けられ、前記第二滑り接続溝にそれぞれが前記ソケット溝と前記第三滑り接続溝と相通するように設置される第一斜角溝が通り抜けて設置され、前記第二滑り接続溝に後側に伸びて設置される滑り接続軸がスライドできるように接続され、前記滑り接続軸に前記第一斜角溝と相通する第二斜角溝が設置され、前記第二斜角溝に一端が前記第一斜角溝を通じて前記第三滑り接続溝の中に伸びて前記第三滑り接続ブロックと固定的に合わせて接続される斜角ブロックがスライドできるように接続され、前記斜角ブロックのもう一端が前記第一斜角溝を通じて前記ソケット溝の中に伸びることを特徴とする電気接続装置。
【手続補正２】
【補正対象書類名】明細書
【補正対象項目名】全文
【補正方法】変更
【補正の内容】
【発明の詳細な説明】
【技術分野】
【０００１】
本発明は、電力供給技術領域に関し、具体的には電気接続装置に関する。
【背景技術】
【０００２】
電気設備はソケットの方式を通じて電力供給接続を実現し、現在の電気設備のプラグは電気供給コンセントとソケットする時の安定性が悪く、常に設備の意外の停電を引き起こし、それと同時に現在の電気供給コンセントの電気供給溝が一般的に外部と連結し、使用しない状態で人が意外に触れると感電事故を引き起こす可能性がかなり高く、大きい安全上の危険が存在する。
【先行技術文献】
【特許文献】
【０００３】
【特許文献１】中国実用新案第２０１８０５０４１号明細書
【発明の概要】
【発明が解決しようとする課題】
【０００４】
本発明の電気接続装置は、ソケットコンセントと電気設備と接続するソケットプラグを含み、前記ソケットコンセントの左右両側の端面の前側位置に対等に固定ブロックが設置され、前記固定ブロックに固定穴が設置され、前記ソケットコンセントの前側端面に安全筐体が設置され、前記安全筐体にソケット構造が設置され、前記ソケット構造の後側固定端末に半円部が設置され、前記半円部に上下に伸びるプラグ変換軸が設置され、前記プラグ変換軸の頂部伸長末尾が前記安全筐体の内頂壁と回転可能に合わせて接続され、前記プラグ変換軸の底部伸長末尾が第一電気回転機械と動力が伝達可能なように合わせて接続し、前記第一電気回転機械の外表面が前記安全筐体の内底壁に固定的に設置され、前記ソケット構造の前側端面にソケット溝が設置され、前記ソケット溝の後側の前記ソケット構造に第一滑り接続溝が設置され、前記第一滑り接続溝に第一滑り接続ブロックがスライドできるように接続され、前記第一滑り接続ブロックに前後に伸びて設置される第一ねじ軸が合わせて接続され、前記第一ねじ軸の前側伸長末尾が前記第一滑り接続溝の前側内壁と回転可能に合わせて接続され、前記第一ねじ軸の後側伸長末尾が第二電気回転機械と動力が伝達可能なように合わせて接続され、前記第二電気回転機械の外表面が第一滑り接続溝の後側内壁に固定的に設置され、前記ソケット溝の左右両側の前記ソケット構造に対等に前後に伸びて設置される第二滑り接続溝が設置され、前記第二滑り接続溝の後側伸長末尾が前記第一滑り接続溝と相通するように設置され、前記第二滑り接続溝の前記ソケット溝と離れた一側に第三滑り接続溝が設置され、前記第三滑り接続溝に第三滑り接続ブロックがスライドできるように接続され、前記第三滑り接続ブロックの前記第二滑り接続溝と離れた一側の第三滑り接続溝に弾性部品が取り付けられ、前記第二滑り接続溝にそれぞれが前記ソケット溝と前記第三滑り接続溝と相通するように設置される第一斜角溝が通り抜けて設置され、前記第二滑り接続溝に後側に伸びて設置される滑り接続軸がスライドできるように接続され、前記滑り接続軸に前記第一斜角溝と相通する第二斜角溝が設置され、前記第二斜角溝に一端が前記第一斜角溝を通じて前記第三滑り接続溝の中に伸びて前記第三滑り接続ブロックと固定的に合わせて接続される斜角ブロックがスライドできるように接続され、前記斜角ブロックのもう一端が前記第一斜角溝を通じて前記ソケット溝の中に伸びる。
【０００５】
より好ましい技術方案は前記安全筐体の後側内壁にギアアームが固定的に設置される。
【０００６】
より好ましい技術方案は前記ソケット溝の後側内壁に電力供給端が固定的に設置される。
【０００７】
より好ましい技術方案は前記ソケットプラグの後側末尾に前記ソケット溝と合わせて接続されることに用いる導電アームが固定的に設置され、前記導電アームの左右両側の端面に対等に前記斜角ブロックと合わせて接続されることに用いるロック接続溝が設置され、前記導電アームの後側末尾に斜角端が固定的に設置され、前記斜角端の後側末尾端面に前記電力供給端と合わせて接続されることに用いる電気溝が設置される。
【０００８】
より好ましい技術方案は前記ソケット軸の右側の前記安全筐体の内底壁に押上構造が設置され、前記ソケット軸の前側の前記ソケット構造の底部端面に前記押上構造と合わせて接続されることに用いるロック接続穴が設置され、前記押上構造が前記安全筐体の内底壁に設置される押上筐体と前記押上筐体にスライドできるように接続される押上板を含み、前記押上板の底部端面に下に伸びて設置される第二ねじ軸が合わせて接続され、前記第二ねじ軸の底部伸長末尾が第三電気回転機械と動力が伝達可能なように合わせて接続され、前記第三電気回転機械の外表面が前記押上筐体の内底壁に固定的に設置され、前記押上筐体の左右両側内壁に対等に誘導溝が設置され、前記誘導溝に前記押上板と固定的に合わせて接続される誘導ブロックがスライドできるように接続される。
【発明の効果】
【０００９】
本発明は、構造が簡単で、操作が便利で自動制御のソケットコンセントとソケット構造の結合接続作業を実現することができ、それと同時に自動制御のソケット構造の収納とロック作業を実現することができ、電力供給接続の安定性と安全性を大いに高めることができる。
【図面の簡単な説明】
【００１０】
【図１】図１は本発明の電気接続装置の内部構造概略図である。
【図２】図２は本発明のソケットプラグの全体構造概略図である。
【図３】図３は本発明のソケット構造の底面図である。
【図４】図４は本発明の押上構造の内部構造概略図である。
【図５】図５は図１の背面図である。
【発明を実施するための形態】
【００１１】
下記は図１−図５を結合し本発明を詳しく説明する。
【００１２】
図１−図５を参照し本発明の実施例の電気接続装置によって、ソケットコンセント５と電気設備と接続するソケットプラグ７を含み、前記ソケットコンセント５の左右両側の端面の前側位置に対等に固定ブロック４０が設置され、前記固定ブロック４０に固定穴４１が設置され、前記固定ブロック４０は前記ソケットコンセント５を壁体に固定することに用いて、前記ソケットコンセント５の前側端面に安全筐体５１が設置され、前記安全筐体５１にソケット構造６が設置され、前記ソケット構造６の後側固定端末に半円部６１が設置され、前記半円部６１に上下に伸びるプラグ変換軸６１０が設置され、前記プラグ変換軸６１０の頂部伸長末尾が前記安全筐体５１の内頂壁と回転可能に合わせて接続され、前記プラグ変換軸６１０の底部伸長末尾が第一電気回転機械６１１と動力が伝達可能なように合わせて接続し、前記第一電気回転機械６１１の外表面が前記安全筐体５１の内底壁に固定的に設置され、前記ソケット構造６の前側端面にソケット溝６２が設置され、前記ソケット溝６２の後側の前記ソケット構造６に第一滑り接続溝６３が設置され、前記第一滑り接続溝６３に第一滑り接続ブロック６３１がスライドできるように接続され、前記第一滑り接続ブロック６３１に前後に伸びて設置される第一ねじ軸６３２が合わせて接続され、前記第一ねじ軸６３２の前側伸長末尾が前記第一滑り接続溝６３の前側内壁と回転可能に合わせて接続され、前記第一ねじ軸６３２の後側伸長末尾が第二電気回転機械６３３と動力が伝達可能なように合わせて接続され、前記第二電気回転機械６３３の外表面が第一滑り接続溝６３の後側内壁に固定的に設置され、前記ソケット溝６２の左右両側の前記ソケット構造６に対等に前後に伸びて設置される第二滑り接続溝６６が設置され、前記第二滑り接続溝６６の後側伸長末尾が前記第一滑り接続溝６３と相通するように設置され、前記第二滑り接続溝６６の前記ソケット溝６２と離れた一側に第三滑り接続溝６４が設置され、前記第三滑り接続溝６４に第三滑り接続ブロック６４１がスライドできるように接続され、前記第三滑り接続ブロック６４１の前記第二滑り接続溝６６と離れた一側の第三滑り接続溝６４に弾性部品６４２が取り付けられ、前記第二滑り接続溝６６にそれぞれが前記ソケット溝６２と前記第三滑り接続溝６４と相通するように設置される第一斜角溝６５が通り抜けて設置され、前記第二滑り接続溝６６に後側に伸びて設置される滑り接続軸６６１がスライドできるように接続され、前記滑り接続軸６６１に前記第一斜角溝６５と相通する第二斜角溝６６２が設置され、前記第二斜角溝６６２に一端が前記第一斜角溝６５を通じて前記第三滑り接続溝６４の中に伸びて前記第三滑り接続ブロック６４１と固定的に合わせて接続される斜角ブロック６４３がスライドできるように接続され、前記斜角ブロック６４３のもう一端が前記第一斜角溝６５を通じて前記ソケット溝６２の中に伸びる。
【００１３】
好ましくは、前記安全筐体５１の後側内壁にギアアーム５１０が固定的に設置される。
【００１４】
好ましくは、前記ソケット溝６２の後側内壁に電力供給端が固定的に設置される。
【００１５】
好ましくは、前記ソケットプラグ７の後側末尾に前記ソケット溝６２と合わせて接続されることに用いる導電アーム７１が固定的に設置され、前記導電アーム７１の左右両側の端面に対等に前記斜角ブロック６４３と合わせて接続されることに用いるロック接続溝７１１が設置され、前記導電アーム７１の後側末尾に斜角端７１２が固定的に設置され、前記斜角端７１２の後側末尾端面に前記電力供給端と合わせて接続されることに用いる電気溝７１３が設置され、これにより速いソケット作業に便利し、それと同時にソケットの安定性を高める。
【００１６】
好ましくは、前記ソケット軸６１０の右側の前記安全筐体５１の内底壁に押上構造５１１が設置され、前記ソケット軸６１０の前側の前記ソケット構造６の底部端面に前記押上構造５１１と合わせて接続されることに用いるロック接続穴６７が設置され、前記押上構造５１１が前記安全筐体５１の内底壁に設置される押上筐体５１１０と前記押上筐体５１１０にスライドできるように接続される押上板５１１１を含み、前記押上板５１１１の底部端面に下に伸びて設置される第二ねじ軸５１１４が合わせて接続され、前記第二ねじ軸５１１４の底部伸長末尾が第三電気回転機械５１１５と動力が伝達可能なように合わせて接続され、前記第三電気回転機械５１１５の外表面が前記押上筐体５１１０の内底壁に固定的に設置され、前記押上筐体５１１０の左右両側内壁に対等に誘導溝５１１２が設置され、前記誘導溝５１１２に前記押上板５１１１と固定的に合わせて接続される誘導ブロック５１１３がスライドできるように接続され、これにより自動的に収納のロック作業を制御し、露出で引き起こした感電事故を防ぐ。
【００１７】
本発明の有益な効果は、構造が簡単で、操作が便利で自動制御のソケットコンセントとソケット構造の結合接続作業を実現することができ、それと同時に自動制御のソケット構造の収納とロック作業を実現することができ、電力供給接続の安定性と安全性を大いに高めることができる。